(57)【特許請求の範囲】
【請求項１】
質量％で、Ｍｇ：０.２〜２.０％、Ｓｉ：０.３〜２.０％、を含み、残部がＡｌおよび不可避的不純物からなるＡｌ−Ｍｇ−Ｓｉ系アルミニウム合金板であって、３次元アトムプローブ電界イオン顕微鏡により測定された原子の集合体として、その原子の集合体が、Ｍｇ原子かＳｉ原子かのいずれか又は両方を合計で１０個以上含み、これらに含まれるＭｇ原子かＳｉ原子のいずれの原子を基準としても、その基準となる原子と隣り合う他の原子のうちのいずれかの原子との互いの距離が０．７５ｎｍ以下であり、これらの条件を満たす原子の集合体を６.０×１０２３個／ｍ３以上、２５.０×１０２３個／ｍ３以下の平均数密度で含むとともに、これらの条件を満たす原子の集合体の、円相当径の平均半径が１.２ｎｍ以上、１.５ｎｍ以下であり、かつ、この円相当径の平均半径の標準偏差が０．３５ｎｍ以下であることを特徴とする室温時効後のヘム加工性と焼付け塗装硬化性に優れたアルミニウム合金板。
【請求項２】
前記アルミニウム合金板が、更に、Ｍｎ：１.０％以下（但し、０％を含まず）、Ｃｕ：０．３％以下（但し、０％を含まず）、Ｆｅ：１．０％以下（但し、０％を含まず）、Ｃｒ：０．３％以下（但し、０％を含まず）、Ｚｒ：０．３％以下（但し、０％を含まず）、Ｖ：０．３％以下（但し、０％を含まず）、Ｔｉ：０．０５％以下（但し、０％を含まず）、Ｚｎ：１．０％以下（但し、０％を含まず）、Ａｇ：０．２％以下（但し、０％を含まず）の１種または２種以上を含む請求項１に記載の室温時効後のヘム加工性と焼付け塗装硬化性に優れたアルミニウム合金板。
【発明の詳細な説明】
【技術分野】
【０００１】
本発明はＡｌ−Ｍｇ−Ｓｉ系アルミニウム合金板に関するものである。本発明で言うアルミニウム合金板とは、熱間圧延板や冷間圧延板などの圧延板であって、溶体化処理および焼入れ処理などの調質が施された、焼付け塗装硬化処理前のアルミニウム合金板を言う。また、以下の記載では、アルミニウムをＡｌとも言う。
【背景技術】
【０００２】
近年、地球環境などへの配慮から、自動車等の車両の軽量化の社会的要求はますます高まってきている。かかる要求に答えるべく、自動車パネル、特にフード、ドア、ルーフなどの大型ボディパネル（アウタパネル、インナパネル）の材料として、鋼板等の鉄鋼材料にかえて、成形性や焼付け塗装硬化性に優れた、より軽量なアルミニウム合金材の適用が増加しつつある。
【０００３】
この内、自動車のフード、フェンダー、ドア、ルーフ、トランクリッドなどのパネル構造体の、アウタパネル (外板) やインナパネル( 内板) 等のパネルには、薄肉でかつ高強度アルミニウム合金板として、Ａｌ−Ｍｇ−Ｓｉ系のＡＡ乃至ＪＩＳ ６０００系 (以下、単に６０００系とも言う) アルミニウム合金板の使用が検討されている。
【０００４】
この６０００系アルミニウム合金板は、Ｓｉ、Ｍｇを必須として含み、特に過剰Ｓｉ型の６０００系アルミニウム合金は、これらＳｉ／Ｍｇが質量比で１以上である組成を有し、優れた時効硬化能を有している。このため、プレス成形や曲げ加工時には低耐力化により成形性を確保するとともに、成形後のパネルの塗装焼付処理などの、比較的低温の人工時効( 硬化) 処理時の加熱により時効硬化して耐力が向上し、パネルとしての必要な強度を確保できる焼付け塗装硬化性（以下、ベークハード性＝ＢＨ性、焼付硬化性とも言う) がある。
【０００５】
また、６０００系アルミニウム合金板は、Ｍｇ量などの合金量が多い他の５０００系アルミニウム合金などに比して、合金元素量が比較的少ない。このため、これら６０００系アルミニウム合金板のスクラップを、アルミニウム合金溶解材 (溶解原料) として再利用する際に、元の６０００系アルミニウム合金鋳塊が得やすく、リサイクル性にも優れている。
【０００６】
一方、自動車のアウタパネルは、周知の通り、アルミニウム合金板に対し、プレス成形における張出成形時や曲げ成形などの成形加工が複合して行われて製作される。例えば、フードやドアなどの大型のアウタパネルでは、張出などのプレス成形によって、アウタパネルとしての成形品形状となされ、次いで、このアウタパネル周縁部のフラットヘムなどのヘム (ヘミング) 加工によって、インナパネルとの接合が行われ、パネル構造体とされる。
【０００７】
ここで、６０００系アルミニウム合金は、優れたＢＨ性を有するという利点がある反面で、室温時効性を有し、溶体化焼入れ処理後、数ヶ月間の室温保持で時効硬化して強度が増加することにより、パネルへの成形性、特に曲げ加工性が低下する課題があった。例えば、６０００系アルミニウム合金板を自動車パネル用途に用いる場合、アルミメーカーで溶体化焼入れ処理された後（製造後）、自動車メーカーでパネルに成形加工されるまでに、通常は１〜４ヶ月間程度室温におかれ（室温放置され）、この間で、かなり時効硬化（室温時効）することとなる。特に、厳しい曲げ加工が入るアウタパネルにおいては、製造後１ヵ月経過後では、問題無く成形可能であっても、３ヶ月経過後では、ヘム加工時に割れが生じるなどの問題が有った。したがって、自動車パネル用、特にアウタパネル用の６０００系アルミニウム合金板では、１〜４ヶ月間程度の比較的長期に亙る室温時効を抑制する必要がある。
【０００８】
更に、このような室温時効が大きい場合には、ＢＨ性が低下して、前記した成形後のパネルの塗装焼付処理などの、比較的低温の人工時効( 硬化) 処理時の加熱によっては、パネルとしての必要な強度までに、耐力が向上しなくなるという問題も生じる。
【０００９】
このため、従来から、６０００系アルミニウム合金のＢＨ性の向上および室温時効の抑制については、種々の提案がなされている。例えば、特許文献１では、溶体化および焼入れ処理時に、冷却速度を段階的に変化させることにより、製造後の室温での経過７日後から９０日後の強度変化を抑制する提案がなされている。また、特許文献２では、溶体化および焼入れ処理後、６０分以内に、５０〜１５０℃の温度に１０〜３００分保持することにより、ＢＨ性と形状凍結性を得る提案がなされている。また、特許文献３には、溶体化および焼入れ処理の際に、１段目の冷却温度とその後の冷却速度を規定することで、ＢＨ性と形状凍結性を得る提案がなされている。
【００１０】
また、特許文献４では溶体化焼入れ後の熱処理でBH性を向上させることが提案されている。特許文献５ではＤＳＣ（Differential scanning calorimetry、示差走査熱量測定）法の吸熱ピーク規定によるＢＨ性向上が提案されている。特許文献６では同じくＤＳＣの発熱ピーク規定によるＢＨ性向上が提案されている。
【００１１】
しかし、これら特許文献１〜６は、６０００系アルミニウム合金板のＢＨ性や室温時効性に直接影響するクラスタ（原子の集合体）については、あくまでその挙動を間接的に類推するものに過ぎなかった。
【００１２】
これに対して、特許文献７では、６０００系アルミニウム合金板のＢＨ性や室温時効性に影響するクラスタ（原子の集合体）を直接測定して、規定する試みがなされている。すなわち、６０００系アルミニウム合金板の組織を１００万倍の透過型電子顕微鏡によって分析した際に観察されるクラスタ（原子の集合体）の内、円等価直径が１〜５ｎｍの範囲のクラスタの平均数密度を４０００〜３００００個／μｍ2 の範囲で規定して、ＢＨ性に優れ、室温時効を抑制したものとしている。
【先行技術文献】
【特許文献】
【００１３】
【特許文献１】特開2000-160310号公報
【特許文献２】特許第3207413号公報
【特許文献３】特許第2614686号公報
【特許文献４】特開平4-210456号公報
【特許文献５】特開平10-219382号公報
【特許文献６】特開2005-139537号公報
【特許文献７】特開2009-242904号公報
【発明の概要】
【発明が解決しようとする課題】
【００１４】
ただ、これら従来技術においても、特に室温経時変化の抑制については、未だ改善の余地がある。すなわち、これら従来技術の車体塗装焼付け処理では１７０℃×２０分の焼付け塗装後では、長時間の室温時効後のＢＨ性は０．２％耐力で６０〜７０ＭＰa程度であり、長時間経過後においてもより高いＢＨ性が求められる。
【００１５】
このような課題に鑑み、本発明の目的は、長時間の室温時効後の車体塗装焼付け処理であっても、高いＢＨ性と良好な加工性が発揮できるＡｌ―Ｓｉ―Ｍｇ系アルミニウム合金板を提供することである。
【課題を解決するための手段】
【００１６】
この目的を達成するために、本発明の室温時効後のヘム加工性と焼付け塗装硬化性に優れたアルミニウム合金板の要旨は、質量％で、Ｍｇ：０.２〜２.０％、Ｓｉ：０.３〜２.０％、を含み、残部がＡｌおよび不可避的不純物からなるＡｌ−Ｍｇ−Ｓｉ系アルミニウム合金板であって、３次元アトムプローブ電界イオン顕微鏡により測定された原子の集合体として、その原子の集合体が、Ｍｇ原子かＳｉ原子かのいずれか又は両方を合計で１０個以上含み、これらに含まれるＭｇ原子かＳｉ原子のいずれの原子を基準としても、その基準となる原子と隣り合う他の原子のうちのいずれかの原子との互いの距離が０．７５ｎｍ以下であり、これらの条件を満たす原子の集合体を６.０×１０２３個／ｍ３以上、２５.０×１０２３個／ｍ３以下の平均数密度で含むとともに、これらの条件を満たす原子の集合体の、円相当径の平均半径が１.２ｎｍ以上、１.５ｎｍ以下であり、かつ、この円相当径の平均半径の標準偏差が０．３５ｎｍ以下であることとする。
【発明の効果】
【００１７】
本発明では、３ＤＡＰにより測定される原子の集合体（クラスタ）のうち、前記規定の通り、Ｍｇ原子かＳｉ原子かを合計で特定以上含み、これらに含まれる隣り合う原子同士の互いの距離が特定以下であるような特定のクラスタの平均数密度が、ＢＨ性と大きく相関することを知見した。
【００１８】
ただ、それだけでなく、これらの条件を満たす前記特定の原子の集合体のサイズの分布状態が重要で、円相当径の平均半径と、この円相当径の半径の標準偏差とがＢＨ性に大きく影響することも本発明は知見した。すなわち、ＢＨ性向上のためには、前記特定の原子の集合体の円相当径の平均半径が特定の範囲である１.２ｎｍ以上、１.５ｎｍ以下であるとともに、標準偏差が小さく０．３５ｎｍ以下であることが、ＢＨ性向上に必要であることを知見した。本発明によれば、１００日間の長時間室温時効した場合であっても、より高いＢＨ性が発揮できるＡｌ―Ｓｉ―Ｍｇ系アルミニウム合金板を提供できる。
【図面の簡単な説明】
【００１９】
【図１】アルミニウム合金板におけるクラスタの円相当径の半径と数密度との関係を示す説明図である。
【発明を実施するための形態】
【００２０】
以下に、本発明の実施の形態につき、要件ごとに具体的に説明する。
【００２１】
クラスタ(原子の集合体)：
先ず、本発明でいうクラスタとは何を意味するか説明する。本発明でいうクラスタとは、後述する３ＤＡＰにより測定される原子の集合体（クラスタ）を言い、以下の記載では主としてクラスタと表現する。６０００系アルミニウム合金においては、溶体化および焼入れ処理後に、室温保持、あるいは５０〜１５０℃の熱処理中に、Ｍｇ、Ｓｉがクラスタと呼ばれる原子の集合体を形成することが知られている。但し、これら室温保持と５０〜１５０℃の熱処理中とで生成するクラスタは、全くその挙動（性質）が異なる。
【００２２】
室温保持で形成されるクラスタは、その後の人工時効又は焼付塗装処理において強度を上昇させるＧＰゾーン或いはβ´相の析出を抑制する。一方、５０〜１５０℃で形成されるクラスタ（或いはＭｇ／Ｓｉクラスタ）は、逆に、ＧＰゾーン或いはβ´相の析出を促進することが示されている（例えば、山田ら：軽金属ｖｏｌ．５１、第２１５頁に記載）。
【００２３】
ちなみに、前記特許文献７では、その段落００２１〜００２５にかけて、これらのクラスタが、従来では、比熱測定や３ＤＡＰ（３次元アトムプローブ）等によって解析されていると記載されている。そして、同時に、３ＤＡＰによるクラスタの解析では、観察されることによって、クラスタ自体の存在は裏付けられても、本発明で規定する前記クラスタのサイズや数密度までは不明或いは限定的にしか測定できなかったと記載されている。
【００２４】
確かに、６０００系アルミニウム合金において、前記クラスタを３ＤＡＰ（３次元アトムプローブ）によって解析する試みは従来からされている。しかし、前記特許文献７の記載する通り、クラスタ自体の存在は裏付けられても、そのクラスタのサイズや数密度までは不明であった。これは、３ＤＡＰにより測定される原子の集合体（クラスタ）のうちの、どのクラスタとＢＨ性とが大きく相関するのか不明であり、ＢＨ性に大きく関わる原子の集合体がどれであるのか不明であったことによる。
【００２５】
これに対して、本発明者らは、先に本発明者らが出願した特願2011-56960号において、ＢＨ性に大きく関わるクラスタを明確化した。すなわち、３ＤＡＰにより測定されるクラスタのうち、前記規定の通り、Ｍｇ原子かＳｉ原子かを合計で特定以上含み、これらに含まれる隣り合う原子同士の互いの距離が特定以下であるような特定のクラスタと、ＢＨ性とが大きく相関することを知見した。そして、これらの条件を満たす原子の集合体の数密度を増すことによって、室温時効後に低温で短時間化された条件の車体塗装焼付け処理であっても、高いＢＨ性が発揮できることを知見した。
【００２６】
具体的には、前記特願2011-56960号において、質量％で、Ｍｇ：０.２〜２.０％、Ｓｉ：０.３〜２.０％、を含み、残部がＡｌおよび不可避的不純物からなるＡｌ−Ｍｇ−Ｓｉ系アルミニウム合金板であって、３次元アトムプローブ電界イオン顕微鏡により測定された原子の集合体として、その原子の集合体が、Ｍｇ原子かＳｉ原子かのいずれか又は両方を合計で３０個以上含み、これらに含まれるＭｇ原子かＳｉ原子のいずれの原子を基準としても、その基準となる原子と隣り合う他の原子のうちのいずれかの原子との互いの距離が０．７５ｎｍ以下であり、これらの条件を満たす原子の集合体を１.０×１０5個／μｍ3以上の平均数密度で含む、焼付け塗装硬化性に優れたアルミニウム合金板として出願した。
【００２７】
この特願2011-56960号によれば、Ｍｇ原子かＳｉ原子かのいずれか又は両方を合計で３０個以上含み、互いに隣り合う原子同士の距離が０．７５ｎｍ以下であるクラスタの存在が、ＢＨ性を向上させる。そして、これらクラスタを一定量以上存在させることで、室温時効したＡｌ―Ｓｉ―Ｍｇ系アルミニウム合金板を、１５０℃×２０分の低温、短時間化された車体塗装焼付け処理の場合であっても、より高いＢＨ性を発揮させることができるとしている。
【００２８】
これに対して、本発明者らは更に検討した結果、３ＤＡＰにより測定されるクラスタのうち、前記クラスタを多く存在させることは、確かにＢＨ性を向上させるものの、それだけではまだ向上効果が十分ではないことを知見した。言い換えると、前記クラスタを多く存在させることは、ＢＨ性向上の前提条件（必要条件）ではあるものの、必ずしも充分条件ではないことを知見した。
【００２９】
このため、本発明者らは、更に特願２０１１−１９９７６９号（平成２３年９月１３日出願）を出願した。すなわち、前記特定の条件を満たす原子の集合体を６.０×１０２３個／ｍ3以上の平均数密度で含むことを前提に、これらの条件を満たす原子の集合体のうち、最大となる円相当径の半径が１.５ｎｍ未満のサイズの原子の集合体の平均数密度を１０．０×１０２３個／ｍ3以下に規制する一方、この最大となる円相当径の半径が１.５ｎｍ未満のサイズの原子の集合体の平均数密度aと、最大となる円相当径の半径が１.５ｎｍ以上のサイズの原子の集合体の平均数密度bとの比a／bが３.５以下となるように、前記最大となる円相当径の半径が１.５ｎｍ以上のサイズの原子の集合体を含むこととした。
【００３０】
この知見に到ったのは、Ｍｇ原子かＳｉ原子かのいずれか又は両方を含むクラスタには当然ながら、そのサイズ（大きさ）の違い（分布）があり、クラスタの大きさによるＢＨ性への作用の大きな違いを知見したからである。すなわち、比較的小さなサイズのクラスタはＢＨ性を阻害する一方で、比較的大きなサイズのクラスタはＢＨ性を促進するという、クラスタの大きさによるＢＨ性への作用の正反対の違いがある。これに基づけば、前記特定のクラスタのうち、比較的小さなサイズのクラスタを少なくし、比較的大きなサイズのクラスタを多くすれば、よりＢＨ性が向上できることとなる。
【００３１】
比較的小さなサイズのクラスタは、ＢＨ処理時（人工時効硬化処理時）には消滅するものの、却って、このＢＨ時に、強度向上に効果の高い大きなクラスタの析出を阻害してＢＨ性を低くしていると推考される。一方で、比較的大きなサイズのクラスタは、ＢＨ処理時に成長して、ＢＨ処理時の析出物の析出を促進して、ＢＨ性を高くすると推考される。
【００３２】
ただ、更にその後の研究によれば、大きすぎるクラスタは、ＢＨ処理時に成長すると、サイズが大きくなりすぎてしまい、逆にＢＨ性を低下させるとともに、BH処理前の強度が高くなりすぎてしまい、加工性が劣化することを見出した。つまり、加工性を劣化させずにBH性を高くするためには、最適なサイズのクラスタが存在することも知見した。前記特定の原子の集合体のサイズの分布状態は重要だが、これら前記特定の原子の集合体の平均サイズである円相当径の平均半径と、この円相当径の半径の標準偏差とがＢＨ性に大きく影響することも本発明は知見した。すなわち、ＢＨ性向上のためには、前記特定の原子の集合体の円相当径の平均半径が特定の範囲である１.２ｎｍ以上、１.５ｎｍ以下であるとともに、この円相当径の半径の標準偏差が小さく、０．３５ｎｍ以下であることが、ＢＨ性向上に必要であることを知見した。
【００３３】
すなわち、ＢＨ性向上のためには、前記特定の原子の集合体のサイズが小から大なものまで幅広く存在して、そのサイズ分布が大きくばらつくのではなく、最適なサイズのクラスタのみが生成するほど良い。本発明で規定した円相当径の平均半径が１.２ｎｍ以上、１.５ｎｍ以下であるとともに、この円相当径の半径の標準偏差が０．３５ｎｍ以下とは、このことを意味する。これによって、本発明では、車体塗装焼付け処理が１００日間の長時間室温保持された場合であっても、Ａｌ−Ｍｇ−Ｓｉ系アルミニウム合金板のＢＨ性をより向上させることができる。
【００３４】
（本発明のクラスタ規定）
以下に、本発明のクラスタの規定につき具体的に説明する。
本発明がクラスタを規定するアルミニウム合金板は、前記した通り、圧延後に溶体化および焼入れ処理、再加熱処理などの一連の調質が施された後の板であって、プレス成形などによってパネルに成形加工される前の板のことを言う。プレス成形される前の０.５〜４ヶ月間程度の比較的長期に亙る室温放置された際の室温時効を抑制するためには、当然ながら、この室温放置される前の、前記調質が施された後の板の組織状態を本発明で規定する組織とする必要がある。
【００３５】
（本発明のクラスタの定義）
そして、室温放置される前の、前記溶体化および焼入れ処理などの調質が施された後のＡｌ−Ｍｇ−Ｓｉ系アルミニウム合金板の任意の板厚中央部における組織を、３次元アトムプローブ電界イオン顕微鏡により測定する。この測定された組織に存在するクラスタとして、本発明では、先ず、そのクラスタが、Ｍｇ原子かＳｉ原子かのいずれか又は両方を合計で１０個以上含むものとする。なお、この原子の集合体に含まれるＭｇ原子やＳｉ原子の個数は多いほどよく、その上限は特に規定しないが、製造限界からすると、このクラスタに含まれるＭｇ原子やＳｉ原子の個数の上限は概ね１００００個程度である。
【００３６】
前記特願2011-56960号では、そのクラスタが、Ｍｇ原子かＳｉ原子かのいずれか又は両方を合計で３０個以上含むものとしている。しかし、本発明は、前記した通り、比較的小さなサイズのクラスタはＢＨ性を阻害するので、これを規制して少なくする。このため、したがって、この規制すべき比較的小さなサイズのクラスタを、測定可能な範囲で制御するために、Ｍｇ原子かＳｉ原子かのいずれか又は両方を合計で１０個以上含むものと規定する。
【００３７】
本発明では、前記特願2011-56960号と同様に、さらに、これらクラスタに含まれるＭｇ原子かＳｉ原子のいずれの原子を基準としても、その基準となる原子と隣り合う他の原子のうちのいずれかの原子との互いの距離が０．７５ｎｍ以下であるものを、本発明で規定する（本発明の規定を満たす）原子の集合体（クラスタ）とする。この互いの距離０．７５ｎｍは、ＭｇやＳｉの互いの原子間の距離が近接し、長期の室温時効後の低温短時間でのＢＨ性向上効果がある大きなサイズのクラスタの数密度を保障し、逆に、小さなサイズのクラスタを規制し、数密度を少なく制御するために定めた数値である。本発明者らは、これまでに低温で短時間化された条件の車体塗装焼付け処理でも高いＢＨ性を発揮できるアルミ合金板と原子レベルの集合体の関係を詳細に検討した結果、上記定義で規定される原子集合体の数密度が大きいことが、高いＢＨ性を発揮する組織形態であることを実験的に見出した。従って、原子間の距離０．７５ｎｍの技術的意味合いは十分に明らかになっていないが、高いＢＨ性を発揮する原子集合体の数密度を厳密に保証するために必要であり、そのために定めた数値である。
【００３８】
本発明で規定するクラスタは、Ｍｇ原子とＳｉ原子とを両方含む場合が最も多いものの、Ｍｇ原子を含むがＳｉ原子を含まない場合や、Ｓｉ原子を含むがＭｇ原子を含まない場合を含む。また、Ｍｇ原子やＳｉ原子だけで構成されるとは限らず、これらに加えて、非常に高い確率でＡｌ原子を含む。
【００３９】
更に、アルミニウム合金板の成分組成によっては、合金元素や不純物として含む、Ｆｅ、Ｍｎ、Ｃｕ、Ｃｒ、Ｚｒ、Ｖ、Ｔｉ、ＺｎあるいはＡｇなどの原子がクラスタ中に含まれ、これらその他の原子が３ＤＡＰ分析によりカウントされる場合が必然的に生じる。しかし、これらその他の原子（合金元素や不純物由来）がクラスタに含まれるとしても、Ｍｇ原子やＳｉ原子の総数に比べると少ないレベルである。それゆえ、このような、その他の原子をクラスタ中に含む場合でも、前記規定（条件）を満たすものは、本発明のクラスタとして、Ｍｇ原子やＳｉ原子のみからなるクラスタと同様に機能する。したがって、本発明で規定するクラスタは、前記した規定さえ満足すれば、他にどんな原子を含んでも良い。
【００４０】
また、本発明の「これらに含まれるMg原子かSi原子のいずれの原子を基準としても、その基準となる原子と隣り合う他の原子のうちのいずれかの原子との互いの距離が０．７５ｍｍ以下である」とは、クラスタに存在する全てのＭｇ原子やＳｉ原子が、その周囲に互いの距離が０．７５ｎｍ以下であるＭｇ原子やＳｉ原子を少なくとも１つ有しているという意味である。
【００４１】
本発明のクラスタにおける、原子同士の距離の規定は、これらに含まれるＭｇ原子かＳｉ原子のいずれの原子を基準としても、その基準となる原子と隣り合う他の原子のうちの全ての原子の距離が各々全て０．７５ｎｍ以下にならなくてもよく、反対に、各々全て０．７５ｎｍ以下になっていてもよい。言い換えると、距離が０．７５ｎｍを超える他のＭｇ原子やＳｉ原子が隣り合っていても良く、特定の（基準となる）Ｍｇ原子かＳｉ原子の周りに、この規定距離（間隔）を満たす、他のＭｇ原子かＳｉ原子が最低１個あればいい。
【００４２】
そして、この規定距離を満たす隣り合う他のＭｇ原子かＳｉ原子が１個ある場合には、距離の条件を満たす、カウントすべきＭｇ原子かＳｉ原子の数は、特定の（基準となる）Ｍｇ原子かＳｉ原子を含めて２個となる。また、この規定距離を満たす隣り合う他のＭｇ原子かＳｉ原子が２個ある場合には、距離の条件を満たす、カウントすべきＭｇ原子かＳｉ原子の数は、特定の（基準となる）Ｍｇ原子かＳｉ原子を含めて３個となる。
【００４３】
以上説明したクラスタは、前記し、また詳しくは後述する、圧延後の調質における、溶体化および高温での焼入れ停止後の温度保持処理によって生成させるクラスタである。すなわち、本発明でのクラスタは、溶体化および高温での焼入れ停止後の温度保持処理によって生成させる原子の集合体であって、Ｍｇ原子かＳｉ原子かのいずれか又は両方を合計で１０個以上含み、これらに含まれるＭｇ原子かＳｉ原子のいずれの原子を基準としても、その基準となる原子と隣り合う他の原子のうちのいずれかの原子との互いの距離が０．７５ｎｍ以下のクラスタである。
【００４４】
これまで、人工時効又は焼付塗装処理において強度を上昇させるＧＰゾーン或いはβ´相の析出を促進するクラスタは、前述したようにＭｇ／Ｓｉクラスタであり、このクラスタは溶体化および焼入処理後に５０〜１５０℃の熱処理で形成される。これに対して、人工時効処理又は焼付塗装処理においてＧＰゾーン或いはβ´相の析出を抑制するクラスタは、Ｓｉリッチクラスタであり、このクラスタは溶体化焼入後に室温保持（室温時効）で形成されることが報告されている（例えば、里：軽金属ｖｏｌ．５６、第５９５頁に記載）。
【００４５】
しかしながら、本発明者らが人工時効処理時又は焼付塗装処理時の強度とクラスタの関係を詳細に解析した結果、人工時効処理時又は焼付塗装処理時の強度に寄与している組織因子は、クラスタの種類（組成）ではなく、板の調質処理によって生成させるクラスタのサイズの分布状態であることを見出した。また、このクラスタのサイズの分布状態も、前述したような定義で解析して初めて、人工時効処理時又は焼付塗装熱処理時の強度との対応が明確化になった。
【００４６】
これに対して、前記室温保持（室温時効）で形成されるクラスタは、３次元アトムプローブ電界イオン顕微鏡による測定で、原子の集合体ではあっても、前記本発明の規定を外れる原子の個数やクラスタの数密度を有する。したがって、本発明のクラスタ（原子集合体）の規定は、前記室温保持（室温時効）で形成されるクラスタと区別するとともに、このクラスタに、添加した（含有する）ＭｇやＳｉが消費されるのを防ぐ規定でもある。
【００４７】
（クラスタの密度）
以上説明した本発明で定義されるクラスタ乃至前提条件を満たすクラスタは、６.０×１０２３個／ｍ3以上、２５.０×１０２３個／ｍ3以下の平均数密度で含むものとする。このクラスタの平均数密度が６.０×１０２３個／ｍ3よりも少なすぎると、長期間の室温経時中に新たに小さすぎるクラスタが生成してしまい、ＢＨ性の低下および加工性の劣化を引き起こしてしまう。一方、２５.０×１０２３個／ｍ3よりも多すぎると、ＢＨ処理前の強度が高くなりすぎてしまい、その結果加工性が劣化してしまう。
【００４８】
本発明で定義されるクラスタの平均数密度が少なければ、このクラスタ自体の形成量が不十分となり、前記室温時効で形成されるクラスタに、添加した（含有する）ＭｇやＳｉの多くが消費されていることを意味する。このため、ＧＰゾーン或いはβ´相の析出を促進し、ＢＨ性を向上する効果が例え有ったとしても、長期に亙る室温放置（室温時効）後では、ＢＨ性の向上は０．２％耐力で従来の３０〜４０ＭＰa程度にとどまる。したがって、このような条件下で、より高い所望のＢＨ性を得ることができなくなる。
【００４９】
（本発明クラスタのサイズ分布規定）
本発明で定義されるクラスタを前記一定量（平均数密度以上）存在させることを前提に、ＢＨ性向上のために、本発明は、これらの条件を満たす原子の集合体の、円相当径の平均半径が１.２ｎｍ以上、１.５ｎｍ以下であるとともに、この円相当径の平均半径（以下、単に「半径」とも言う）の標準偏差が０．３５ｎｍ以下とする。
【００５０】
原子の集合体の円相当径の平均半径Ｅ（ｒ）：
前記した前提条件を満たす原子の集合体の円相当径の平均半径Ｅ（ｒ）(ｎｍ)は、Ｅ（ｒ）＝（１／ｎ）Σｒで表される。ここで、ｎは前記前提条件を満足する原子の集合体の個数である。ｒは前記前提条件を満足する個々の原子の集合体の円相当径の半径(ｎｍ)である。
【００５１】
前記した前提条件を満たす原子の集合体のサイズ自体が先ずＢＨ性向上に重要となる。前記円相当径の平均半径Ｅ（ｒ）が小さすぎる原子の集合体（クラスタ）は、ＢＨ処理時（人工時効硬化処理時）に消滅し、このＢＨ時に、強度向上に効果が高いβ´´あるいはβ´などの中間析出物の析出を抑制して、ＢＨ性を阻害する。一方、円相当径の平均半径Ｅ（ｒ）が大きすぎる原子の集合体（クラスタ）も、ＢＨ処理以前（手前あるいは事前）の時点で、室温時効によって、既にβ´´あるいはβ´などの中間析出物となって析出してしまい、却ってＢＨ前の強度を高くしすぎて、プレス成形性や曲げ加工性を阻害する。また、ＢＨ処理の前の時点で既にβ´´あるいはβ´などの中間析出物となって析出してしまっていると、ＢＨ時に、新たなβ´´あるいはβ´などの中間析出物が析出するのを抑制してしまい、やはりＢＨ性を阻害する。ちなみに、前記β´´、β´ともに中間析出相であり、ともにＭｇ２Ｓｉだが、結晶構造（原子の並び方）が異なる。ものです。別表現をするのが難しいので、「´」が使用できない場合は、β´はβプライム、β´´はβダブルプライムと称される。
【００５２】
これに対して、前記した前提条件を満たす原子の集合体で、そのサイズが円相当径の平均半径Ｅ（ｒ）で１.２ｎｍ以上、１.５ｎｍ以下の範囲のものは、このＢＨ時に、強度向上に効果が高い（強度向上に寄与する）β´´あるいはβ´などの中間析出物となって析出する。したがって、プレス成形や曲げ加工の段階では強度が低く加工性が良く、ＢＨ後に始めて強度が高くなる特性を有することができる。このため、前記規定の原子の集合体のサイズは、円相当径の平均半径Ｅ（ｒ）で１.２ｎｍ以上、１.５ｎｍ以下とする。
【００５３】
原子の集合体の円相当径の標準偏差σ：
また、前記した前提条件を満たす原子の集合体の円相当径の標準偏差σは、前記円相当径の平均半径Ｅ（ｒ）から、σ２＝（１／ｎ）Σ[ｒ-Ｅ（ｒ）]２で表される。
【００５４】
前記した前提条件を満たす原子の集合体のサイズ、すなわち円相当径の平均半径Ｅ（ｒ）も重要だが、記した前提条件を満たす特定の原子の集合体の平均サイズである円相当径の平均半径Ｅ（ｒ）の標準偏差も、原子の集合体のサイズの分布状態として、ＢＨ性に大きく影響する。すなわち、ＢＨ性向上のためには、前記特定の原子の集合体の円相当径の平均半径が特定の範囲である１.２ｎｍ以上、１.５ｎｍ以下であるとともに、この円相当径の半径の標準偏差が小さく、０．３５ｎｍ以下であることが、ＢＨ性向上に必要である。
【００５５】
すなわち、ＢＨ性向上のためには、前記特定の原子の集合体のサイズが、小から大なものまで大きくばらつくのではなく、最適なサイズのクラスタのみが生成するほど良い。前記円相当径の平均半径が１.２ｎｍ以上、１.５ｎｍ以下であるとともに、この円相当径の半径の標準偏差が０．３５ｎｍ以下とは、この意味である。これによって、本発明では、車体塗装焼付け処理が長時間の室温保持後に行われる場合であっても、Ａｌ−Ｍｇ−Ｓｉ系アルミニウム合金板のＢＨ性をより向上させることができる。
【００５６】
本発明では、前記規定の原子の集合体の、円相当径の平均半径とこの円相当径の半径の標準偏差との両方によって、前記規定の原子の集合体のサイズ分布を規定して、前記規定の原子の集合体のうちの、サイズが類似する原子の集合体（クラスタ）の数あるいは割合を増す。これによって、車体塗装焼付け処理が長時間の室温保持後に行われる場合であっても、Ａｌ−Ｍｇ−Ｓｉ系アルミニウム合金板のＢＨ性をより向上させる。
【００５７】
前記規定するクラスタであったとしても、ＢＨを阻害する、サイズが小さなクラスタが多いと、前記規定のうち、円相当径の平均半径が１.２ｎｍ未満と小さくなる。また、円相当径の半径の標準偏差が０．３５ｎｍを超えて大きくなる。
【００５８】
一方、本発明で規定するクラスタであっても、ＢＨを阻害する、サイズが大きなクラスタが多くても、前記規定のうち、円相当径の平均半径が１.５ｎｍを超えて大きくなる。また、円相当径の半径の標準偏差が０．３５ｎｍを超えて大きくなる。
【００５９】
円相当径の平均半径が小さすぎる原子の集合体（クラスタ）は、ＢＨ処理時（人工時効硬化処理時）に消滅し、このＢＨ時に、強度向上に効果が高い（強度向上に寄与する）β´´あるいはβ´などの中間析出物の析出を抑制して、ＢＨ性を阻害する。一方、円相当径の平均半径が大きすぎる原子の集合体（クラスタ）も、ＢＨ処理の前の時点で、室温時効によって、既にβ´´あるいはβ´などの中間析出物となって析出してしまい、ＢＨ前の強度を高くしすぎて、曲げ加工性を阻害する。また、ＢＨ処理の前の時点で既にβ´´あるいはβ´などの中間析出物となって析出してしまっていると、ＢＨ時に、新たなβ´´あるいはβ´などの中間析出物が析出するのを抑制してしまい、やはりＢＨ性を阻害する。
【００６０】
（３ＤＡＰの測定原理と測定方法）
３ＤＡＰ（３次元アトムプローブ）は、電界イオン顕微鏡（ＦＩＭ）に、飛行時間型質量分析器を取り付けたものである。このような構成により、電界イオン顕微鏡で金属表面の個々の原子を観察し、飛行時間質量分析により、これらの原子を同定することのできる局所分析装置である。また、３ＤＡＰは、試料から放出される原子の種類と位置とを同時に分析可能であるため、原子の集合体の構造解析上、非常に有効な手段となる。このため、公知技術として、前記した通り、磁気記録膜や電子デバイスあるいは鋼材の組織分析などに使用されている。また、最近では、前記した通り、アルミニウム合金板の組織のクラスタの判別などにも使用されている。
【００６１】
この３ＤＡＰでは、電界蒸発とよばれる高電界下における試料原子そのもののイオン化現象を利用する。試料原子が電界蒸発するために必要な高電圧を試料に印加すると、試料表面から原子がイオン化されこれがプローブホールを通りぬけて検出器に到達する。
【００６２】
この検出器は、位置敏感型検出器であり、個々のイオンの質量分析（原子種である元素の同定）とともに、個々のイオンの検出器に至るまでの飛行時間を測定することによって、その検出された位置（原子構造位置）を同時に決定できるようにしたものである。したがって、３ＤＡＰは、試料先端の原子の位置及び原子種を同時に測定できるため、試料先端の原子構造を、３次元的に再構成、観察できる特長を有する。また、電界蒸発は、試料の先端面から順次起こっていくため、試料先端からの原子の深さ方向分布を原子レベルの分解能で調べることができる。
【００６３】
この３ＤＡＰは高電界を利用するため、分析する試料は、金属等の導電性が高いことが必要で、しかも、試料の形状は、一般的には、先端径が１００ｎｍφ前後あるいはそれ以下の極細の針状にする必要がある。このため、測定対象となるアルミニウム合金板の板厚中央部などから試料を採取して、この試料を精密切削装置で切削および電解研磨して、分析用の極細の針状先端部を有する試料を作製する。測定方法としては、例えば、Imago Scientific Instruments 社製の「ＬＥＡＰ３０００」を用いて、この先端を針状に成形したアルミニウム合金板試料に、１ｋＶオーダーの高パルス電圧を印加し、試料先端から数百万個の原子を継続的にイオン化して行う。イオンは、位置敏感型検出器によって検出し、パルス電圧を印加されて、試料先端から個々のイオンが飛び出してから、検出器に到達するまでの飛行時間から、イオンの質量分析（原子種である元素の同定）を行う。
【００６４】
更に、電界蒸発が、試料の先端面から順次規則的に起こっていく性質を利用して、イオンの到達場所を示す、２次元マップに適宜深さ方向の座標を与え、解析ソフトウエア「ＩＶＡＳ」を用いて、３次元マッピング（３次元での原子構造：アトムマップの構築）を行う。これによって、試料先端の３次元アトムマップが得られる。
【００６５】
この３次元アトムマップを、更に、析出物やクラスタに属する原子を定義する方法であるMaximum Separation Methodを用いて、原子の集合体（クラスタ）の解析を行う。この解析に際しては、Ｍｇ原子かＳｉ原子かのいずれか又は両方の数（合計で１０個以上）と、互いに隣り合うＭｇ原子かＳｉ原子か同士の距離（間隔）、そして、前記特定の狭い間隔（０．７５ｎｍ以下）を有するＭｇ原子かＳｉ原子かの数をパラメータとして与える。
【００６６】
そして、Ｍｇ原子かＳｉ原子かのいずれか又は両方を合計で１０個以上含み、これらに含まれるＭｇ原子かＳｉ原子のいずれの原子を基準としても、その基準となる原子と隣り合う他の原子のうちのいずれかの原子との互いの距離が０．７５ｎｍ以下であり、これらの条件を満たすクラスタを、本発明の原子の集合体と定義する。その上で、この定義に当てはまる原子の集合体の分散状態を評価して、原子の集合体の数密度を、測定試料数が３個以上で平均化して、１ｍ3当たりの平均密度（個／ｍ3）として計測し、定量化する。
【００６７】
すなわち、前記３ＤＡＰが元々有する固有の解析ソフトによって、測定対象となった前記原子の集合体を球と見なした際の、最大となる回転半径ｌｇを下記数１の式により求める。
【数１】
0005820315.tif 000002
【００６８】
この数１の式において、ｌｇは３次元アトムプローブ電界イオン顕微鏡の固有のソフトウエアにより自動的に算出される回転半径である。ｘ、ｙ、ｚは３次元アトムプローブ電界イオン顕微鏡の測定レイアウトにおいて不変のｘ、ｙ、ｚ軸である。ｘｉ、ｙｉ、ｚｉ は、このｘ、ｙ、ｚ軸の長さで、前記原子の集合体を構成するＭｇ、Ｓｉ原子の空間座標である。「ｘ」「ｙ」「ｚ」の上に各々「−」が乗った「エックスバー」なども、このｘ、ｙ、ｚ軸の長さだが、前記原子の集合体の重心座標である。ｎは前記原子の集合体を構成するＭｇ、Ｓｉ原子の数である。
【００６９】
次に、この回転半径ｌｇをギニエ半径ｒＧに下記数２の式、ｒＧ＝√（５／３）・ｌｇの関係により換算する。
【数２】
0005820315.tif 000003
【００７０】
この換算されたギニエ半径ｒＧを原子の集合体の半径とみなし、測定対象となった前記原子の集合体の各々の最大となる円相当径ｒを算出する。また、前記前提条件を満足する原子の集合体の個数ｎも算出する。更に、この個数ｎから前記前提条件を満足する原子の集合体の平均数密度（個／ｍ3）も算出できる。
これら３ＤＡＰによるクラスタの測定は、前記調質が施された後のＡｌ−Ｍｇ−Ｓｉ系アルミニウム合金板の任意の板厚中央部の部位１０箇所について行い、これらの前記各測定値（算出値）を平均化して、本発明で規定する各平均の値とする。
【００７１】
そして、この算出した最大となる円相当径ｒと前記前提条件を満足する原子の集合体の個数ｎから、前記原子の集合体の円相当径の平均半径Ｅ（ｒ）(ｎｍ)を、前記したＥ（ｒ）＝（１／ｎ）Σｒの式から求める。
【００７２】
また、前記した前提条件を満たす原子の集合体の円相当径の標準偏差σを、前記円相当径の平均半径Ｅ（ｒ）から、前記したσ２＝（１／ｎ）Σ[ｒ-Ｅ（ｒ）]２の式から求める。
【００７３】
なお、前記した原子の集合体の半径の算出式、回転半径ｌｇからギニエ半径ｒＧまでの測定および換算方法は、M. K. Miller: Atom Probe Tomography, (Kluwer Academic/Plenum Publishers, New York, 2000)、 184頁 を引用した。ちなみに、原子の集合体の半径の算出式は、これ以外にも、多くの文献に記載されている。例えば「イオン照射された低合金鋼のミクロ組織変化」（藤井克彦、福谷耕司、大久保忠勝、宝野和博ら）の１４０頁「（２）３次元アトムプローブ分析」には、前記数１の式やギニエ半径ｒＧへの換算式を含めて記載されている（但し回転半径ｌｇの記号はｒＧと記載されている）。
【００７４】
（３ＤＡＰによる原子の検出効率）
これら３ＤＡＰによる原子の検出効率は、現在のところ、イオン化した原子のうちの５０％程度が限界であり、残りの原子は検出できない。この３ＤＡＰによる原子の検出効率が、将来的に向上するなど、大きく変動すると、本発明が規定する各サイズのクラスタの平均個数密度（個／μｍ3 ）の３ＤＡＰによる測定結果が変動してくる可能性がある。したがって、この測定に再現性を持たせるためには、３ＤＡＰによる原子の検出効率は約５０％と略一定にすることが好ましい。
【００７５】
(化学成分組成)
次に、６０００系アルミニウム合金板の化学成分組成について、以下に説明する。本発明が対象とする６０００系アルミニウム合金板は、前記した自動車の外板用の板などとして、優れた成形性やＢＨ性、強度、溶接性、耐食性などの諸特性が要求される。
【００７６】
このような要求を満足するために、アルミニウム合金板の組成は、質量％で、Ｍｇ：０．２〜２．０％、Ｓｉ：０．３〜２.０％を含み、残部がＡｌおよび不可避的不純物からなるものとする。なお、各元素の含有量の％表示は全て質量％の意味である。
【００７７】
本発明が対象とする６０００系アルミニウム合金板は、ＢＨ性がより優れた、ＳｉとＭｇとの質量比Ｓｉ/ Ｍｇが1 以上であるような過剰Ｓｉ型の６０００系アルミニウム合金板とされるのが好ましい。６０００系アルミニウム合金板は、プレス成形や曲げ加工時には低耐力化により成形性を確保するとともに、成形後のパネルの塗装焼付処理などの、比較的低温の人工時効処理時の加熱により時効硬化して耐力が向上し、必要な強度を確保できる優れた時効硬化能（ＢＨ性）を有している。この中でも、過剰Ｓｉ型の６０００系アルミニウム合金板は、質量比Ｓｉ/ Ｍｇが１未満の６０００系アルミニウム合金板に比して、このＢＨ性がより優れている。
【００７８】
本発明では、これらＭｇ、Ｓｉ以外のその他の元素は基本的には不純物あるいは含まれても良い元素であり、AA乃至JIS 規格などに沿った各元素レベルの含有量 (許容量) とする。
【００７９】
すなわち、資源リサイクルの観点から、本発明でも、合金の溶解原料として、高純度Ａｌ地金だけではなく、Ｍｇ、Ｓｉ以外のその他の元素を添加元素（合金元素）として多く含む６０００系合金やその他のアルミニウム合金スクラップ材、低純度Ａｌ地金などを多量に使用した場合には、下記のような他の元素が必然的に実質量混入される。そして、これらの元素を敢えて低減する精錬自体がコストアップとなり、ある程度含有する許容が必要となる。また、実質量含有しても、本発明目的や効果を阻害しない含有範囲がある。
【００８０】
したがって、本発明では、このような下記元素を各々以下に規定するAA乃至JIS 規格などに沿った上限量以下の範囲での含有を許容する。具体的には、Ｍｎ：１.０％以下（但し、０％を含まず）、Ｃｕ：０．３％以下（但し、０％を含まず）、Ｆｅ：１．０％以下（但し、０％を含まず）、Ｃｒ：０．３％以下（但し、０％を含まず）、Ｚｒ：０．３％以下（但し、０％を含まず）、Ｖ：０．３％以下（但し、０％を含まず）、Ｔｉ：０．０５％以下（但し、０％を含まず）、Ｚｎ：１．０％以下（但し、０％を含まず）、Ａｇ：０．２％以下（但し、０％を含まず）の１種または２種以上を、この範囲で、上記した基本組成に加えて、更に含んでも良い。上記６０００系アルミニウム合金における、各元素の含有範囲と意義、あるいは許容量について以下に説明する。
【００８１】
Ｓｉ：０．３〜２.０％
ＳｉはＭｇとともに、本発明で規定する前記クラスタ形成の重要元素である。また、固溶強化と、塗装焼き付け処理などの前記低温での人工時効処理時に、強度向上に寄与する時効析出物を形成して、時効硬化能を発揮し、自動車のアウタパネルとして必要な強度（耐力）を得るための必須の元素である。更に、本発明６０００系アルミニウム合金板にあって、プレス成形性に影響する全伸びなどの諸特性を兼備させるための最重要元素である。
【００８２】
また、パネルへの成形後の、より低温、短時間での塗装焼き付け処理での優れた時効硬化能を発揮させるためには、Ｓｉ/ Ｍｇを質量比で１．０以上とし、一般に言われる過剰Ｓｉ型よりも更にＳｉをＭｇに対し過剰に含有させた６０００系アルミニウム合金組成とすることが好ましい。
【００８３】
Ｓｉ含有量が少なすぎると、Ｓｉの絶対量が不足するため、本発明で規定する前記クラスタを規定する数密度だけ形成させることができず、塗装焼付け硬化性が著しく低下する。更には、各用途に要求される全伸びなどの諸特性を兼備することができない。一方、Ｓｉ含有量が多すぎると、粗大な晶出物および析出物が形成されて、曲げ加工性や全伸び等が著しく低下する。更に、溶接性も著しく阻害される。したがって、Ｓｉは０．３〜２.０％の範囲とする。
【００８４】
Ｍｇ：０．２〜２．０％
Ｍｇも、Ｓｉとともに本発明で規定する前記クラスタ形成の重要元素である。また、固溶強化と、塗装焼き付け処理などの前記人工時効処理時に、Ｓｉとともに強度向上に寄与する時効析出物を形成して、時効硬化能を発揮し、パネルとしての必要耐力を得るための必須の元素である。
【００８５】
Ｍｇ含有量が少なすぎると、Ｍｇの絶対量が不足するため、本発明で規定する前記クラスタを規定する数密度だけ形成させることができず、塗装焼付け硬化性が著しく低下する。このためパネルとして必要な耐力が得られない。一方、Ｍｇ含有量が多すぎると、粗大な晶出物および析出物が形成されて、曲げ加工性や全伸び等が著しく低下する。したがって、Ｍｇの含有量は０．２〜２．０％の範囲で、Ｓｉ/ Ｍｇが質量比で１．０以上となるような量とする。
【００８６】
（製造方法）
次ぎに、本発明アルミニウム合金板の製造方法について以下に説明する。本発明アルミニウム合金板は、製造工程自体は常法あるいは公知の方法であり、上記６０００系成分組成のアルミニウム合金鋳塊を鋳造後に均質化熱処理し、熱間圧延、冷間圧延が施されて所定の板厚とされ、更に溶体化焼入れなどの調質処理が施されて製造される。
【００８７】
但し、これらの製造工程中で、ＢＨ性を向上させるために本発明のクラスタを制御するためには、後述する通り、溶体化および焼入れ処理および適正な焼入れ（冷却）停止温度と、その温度範囲での保持をより適正に制御する必要がある。また、他の工程においても、本発明の規定範囲内に前記クラスタを制御するための好ましい条件もある。
【００８８】
(溶解、鋳造冷却速度)
先ず、溶解、鋳造工程では、上記６０００系成分組成範囲内に溶解調整されたアルミニウム合金溶湯を、連続鋳造法、半連続鋳造法（ＤＣ鋳造法）等の通常の溶解鋳造法を適宜選択して鋳造する。ここで、本発明の規定範囲内にクラスタを制御するために、鋳造時の平均冷却速度について、液相線温度から固相線温度までを３０℃／分以上と、できるだけ大きく（速く）することが好ましい。
【００８９】
このような、鋳造時の高温領域での温度（冷却速度）制御を行わない場合、この高温領域での冷却速度は必然的に遅くなる。このように高温領域での平均冷却速度が遅くなった場合、この高温領域での温度範囲で粗大に生成する晶出物の量が多くなって、鋳塊の板幅方向，厚さ方向での晶出物のサイズや量のばらつきも大きくなる。この結果、本発明の範囲に前記規定クラスタを制御することができなくなる可能性が高くなる。
【００９０】
(均質化熱処理)
次いで、前記鋳造されたアルミニウム合金鋳塊に、熱間圧延に先立って、均質化熱処理を施す。この均質化熱処理（均熱処理）は、組織の均質化、すなわち、鋳塊組織中の結晶粒内の偏析をなくすことを目的とする。この目的を達成する条件であれば、特に限定されるものではなく、通常の1回または1段の処理でも良い。
【００９１】
均質化熱処理温度は、５００℃以上で融点未満、均質化時間は４時間以上の範囲から適宜選択される。この均質化温度が低いと結晶粒内の偏析を十分に無くすことができず、これが破壊の起点として作用するために、伸びフランジ性や曲げ加工性が低下する。この後、直ちに熱間圧延を開始又は、適当な温度まで冷却保持した後に熱間圧延を開始しても、本発明で規定するクラスタの数密度に制御することはできる。
【００９２】
この均質化熱処理を行った後、３００℃〜５００℃の間を２０〜１００℃／ｈの平均冷却速度で室温まで冷却し、次いで２０〜１００℃／ｈの平均加熱速度で３５０℃〜４５０℃まで再加熱し、この温度域で熱間圧延を開始することもできる。
【００９３】
この均質化熱処理後の平均冷却速度および、その後の再加熱速度の条件を外れると、粗大なＭｇ−Ｓｉ化合物が形成される可能性が高くなる。
【００９４】
(熱間圧延)
熱間圧延は、圧延する板厚に応じて、鋳塊 (スラブ) の粗圧延工程と、仕上げ圧延工程とから構成される。これら粗圧延工程や仕上げ圧延工程では、リバース式あるいはタンデム式などの圧延機が適宜用いられる。
【００９５】
この際、熱延（粗圧延）開始温度が固相線温度を超える条件では、バーニングが起こるため熱延自体が困難となる。また、熱延開始温度が３５０℃未満では熱延時の荷重が高くなりすぎ、熱延自体が困難となる。したがって、熱延開始温度は３５０℃〜固相線温度、更に好ましくは４００℃〜固相線温度の範囲とする。
【００９６】
(熱延板の焼鈍)
この熱延板の冷間圧延前の焼鈍 (荒鈍) は必ずしも必要ではないが、結晶粒の微細化や集合組織の適正化によって、成形性などの特性を更に向上させる為に実施しても良い。
【００９７】
(冷間圧延)
冷間圧延では、上記熱延板を圧延して、所望の最終板厚の冷延板 (コイルも含む) に製作する。但し、結晶粒をより微細化させるためには、冷間圧延率は６０％以上であることが望ましく、また前記荒鈍と同様の目的で、冷間圧延パス間で中間焼鈍を行っても良い。
【００９８】
(溶体化および焼入れ処理)
冷間圧延後、溶体化焼入れ処理を行う。溶体化処理焼入れ処理については、通常の連続熱処理ラインによる加熱，冷却でよく、特に限定はされない。ただ、各元素の十分な固溶量を得ること、および前記した通り、結晶粒はより微細であることが望ましいことから、５２０℃以上、溶融温度以下の溶体化処理温度に、加熱速度５℃／秒以上で加熱して、０〜１０秒保持する条件で行うことが望ましい。
【００９９】
また、成形性やヘム加工性を低下させる粗大な粒界化合物形成を抑制する観点から、溶体化温度から焼入れ停止温度までの平均冷却速度が３℃/s以上とすることが望ましい。溶体化の冷却速度が小さいと、冷却中に粗大なMg2Siおよび単体Siが生成してしまい、成形性が劣化してしまう。また溶体化後の固溶量が低下し、BH性が低下してしまう。
この冷却速度を確保するために、焼入れ処理は、ファンなどの空冷、ミスト、スプレー、浸漬等の水冷手段や条件を各々選択して用いる。
【０１００】
(焼入れ停止後の温度保持処理)
この焼入れ処理は、溶体化処理後の板を室温まで冷却するのではなく、板が８０〜１３０℃となる温度域Ｔで冷却（焼入れ）を停止して、この温度範囲で一定時間ｔだけ保持する保持処理、その後室温まで放冷や強制冷却などの冷却手段を問わずに冷却する。この８０〜１３０℃の温度での保持（処理）は、加熱によっても非加熱によってもよく、等温保持であっても良い。但し、この温度での保持時間ｔは、前記焼入れ停止温度Ｔとの関係で、次式を満足するように決める。
2.3×10４×exp[-0.093×Ｔ]＜ｔ＜2.0×105×exp[-0.096×Ｔ]
【０１０１】
本発明では、規定する所定のクラスタのサイズ分布を得るための、この焼入れ処理の停止条件について、種々の焼入れ停止温度、保持時間などの関係について詳細に調査した。その結果、焼入れ停止後の温度保持中のクラスタのサイズ分布は、ＭｇやＳｉの拡散距離に大きく影響され、解析した結果では、このＭｇやＳｉの拡散距離を1.8×10-9m〜4.8×10-9mの範囲とすることが好ましいことを知見した。
【０１０２】
このＭｇやＳｉの拡散距離は、以下の数３の式で表される。この式中、D0は数４の式で表される拡散係数であり、6.2×10-6（m2/s）である。Qは拡散の活性化エネルギーであり11500（J/mol）である。Rは気体定数であり8.314である。
このＭｇやＳｉの好ましい拡散距離の範囲を得るための焼入れ停止温度と焼入れ停止後の温度保持時間を整理しなおし、焼入れ停止後の温度保持時間ｔの上限値と下限値を、焼入れ停止温度Ｔとの関係で、前記式のように決定した。
【数３】
0005820315.tif 000004
【数４】
0005820315.tif 000005
【０１０３】
この焼入れ処理における比較的高温での冷却停止と温度保持処理によって、本発明で規定する所定のクラスタのサイズ分布が得られる。また、６.０×１０２３個／ｍ3以上、２５.０×１０２３個／ｍ3以下の本発明で規定する原子の集合体の平均数密度も得られる。これは、この焼入れ処理における比較的高温での冷却停止と温度保持処理の工程中で、本発明で規定する原子の集合体の大部分が、そのサイズが均等にあるいは類似して形成されることによる。
【０１０４】
すなわち、Ｍｇ原子かＳｉ原子かのいずれか又は両方を合計で１０個以上含み、これらに含まれるＭｇ原子かＳｉ原子のいずれの原子を基準としても、その基準となる原子と隣り合う他の原子のうちのいずれかの原子との互いの距離が０．７５ｎｍ以下である原子の集合体の内の大部分が、この焼入れ処理における比較的高温での冷却停止と温度保持処理の工程中で形成される。同時に、この温度保持処理中に形成し尽くした原子の集合体の大部分のサイズが均等にあるいは類似しているため、円相当径の平均半径が１.２ｎｍ以上、１.５ｎｍ以下であるとともに、この円相当径の半径の標準偏差が０．３５ｎｍ以下である条件を満すようなサイズの均等性を有していることによる。
【０１０５】
これによって、この焼入れ処理における比較的高温での冷却停止と温度保持処理された板は、この温度保持処理後に、室温中で室温時効によって形成されるクラスタが少なくなって、室温時効も少なくなる。このため、曲げ加工性を含めてプレス成形性が向上し、室温にて長期間保持した後であっても、その後のパネルの塗装焼付処理など、１７０℃×２０分の人工時効処理時の加熱により、ＢＨ前後での０．２％耐力差が９０ＭＰａ以上となる優れたＢＨ性を有するようになる。
【０１０６】
通常の板を一旦室温まで焼入れ冷却した後に再加熱して保持する再加熱処理では、本発明で規定するサイズが均等あるいは類似のクラスタも勿論形成されるが、前記焼入れ処理における比較的高温での冷却停止と温度保持処理による形成数に比して、形成される数が圧倒的に少ない。
これは、焼入れ冷却終了後から再加熱処理までの室温保持（放置）時間を幾ら短くしても、この間にクラスタの大部分が形成されるからである。しかも、このクラスタは、そのサイズ分布が大きいものや小さいものなど様々で、サイズが均等ではなく、バラバラである。
このため、本発明で規定するサイズが均等あるいは類似のクラスタがたとえ形成されていたとしても、その絶対数は少なくなり、必然的に、原子の集合体の円相当径の平均半径が１.２ｎｍ以上、１.５ｎｍ以下であるとともに、この円相当径の半径の標準偏差が０．３５ｎｍ以下である規定を満足できない。この結果、特に長期間の室温時効後の加工性が低下し、またＢＨ前後での０．２％耐力差が９０ＭＰａ以上となるようなＢＨ性を有することができない。
【０１０７】
（温度保持処理後冷却）
前記温度保持処理後の室温までの冷却は、放冷でも、生産の効率化のために前記焼入れ時の冷却手段を用いて強制急冷しても良い。すなわち、本発明で規定するサイズが均等あるいは類似のクラスタを前記温度保持処理によって出尽くさせているため、従来の再加熱処理のような強制急冷や、数段にわたる複雑な平均冷却速度の制御は不要である。
【０１０８】
以下、実施例を挙げて本発明をより具体的に説明するが、本発明はもとより下記実施例によって制限を受けるものではなく、前・後記の趣旨に適合し得る範囲で適当に変更を加えて実施することも可能であり、それらは何れも本発明の技術的範囲に含まれる。
【実施例】
【０１０９】
次に本発明の実施例を説明する。本発明で規定のクラスタ条件が異なる６０００系アルミニウム合金板を、溶体化および焼入れ処理時に、比較的高温での焼入れ停止と、その温度での保持処理によって作り分けて、室温に７日間保持後および１００日間保持後のＢＨ性（塗装焼付け硬化性）を各々評価した。合わせて、プレス成形性や曲げ加工性としてのヘム加工性も評価した。
【０１１０】
前記本発明規定のクラスタ条件とは、原子の集合体の平均数密度と、円相当径の平均半径、この円相当径の半径の標準偏差である。そして、この原子の集合体とは、Ｍｇ原子かＳｉ原子かのいずれか又は両方を合計で１０個以上含み、これらに含まれるＭｇ原子かＳｉ原子のいずれの原子を基準としても、その基準となる原子と隣り合う他の原子のうちのいずれかの原子との互いの距離が０．７５ｎｍ以下の条件を満たす原子の集合体である。
【０１１１】
また、前記作り分けは、表１に示す組成の６０００系アルミニウム合金板を、表２に示すように、溶体化および焼入れ処理後の再加熱処理条件、加熱温度（℃、表２では到達温度と記載）、保持時間（ｈ）、そして特に、これら加熱保持後の冷却条件を種々変えて製造した。なお、表１中の各元素の含有量の表示において、各元素における数値をブランクとしている表示は、その含有量が検出限界以下であることを示す。
【０１１２】
アルミニウム合金板の具体的な製造条件は以下の通りとした。表１に示す各組成のアルミニウム合金鋳塊を、ＤＣ鋳造法により共通して溶製した。この際、各例とも共通して、鋳造時の平均冷却速度について、液相線温度から固相線温度までを５０℃／分とした。続いて、鋳塊を、各例とも共通して、５４０℃×４時間均熱処理した後、熱間粗圧延を開始した。そして、各例とも共通して、続く仕上げ圧延にて、厚さ３．５ｍｍまで熱延し、熱間圧延板（コイル）とした。熱間圧延後のアルミニウム合金板を、各例とも共通して、５００℃×１分の荒焼鈍を施した後、冷延パス途中の中間焼鈍無しで加工率７０％の冷間圧延を行い、各例とも共通して、厚さ１．０ｍｍの冷延板（コイル）とした。
【０１１３】
更に、この各冷延板（コイル）を、各例とも共通して、連続式の熱処理設備で巻き戻し、巻き取りながら、連続的に調質処理（Ｔ４）した。具体的には、５００℃までの平均加熱速度を１０℃／秒として、表２に記載の溶体化処理温度まで加熱し、直ちに、表２に記載の平均冷却速度で冷却する、溶体化および焼入れ処理を行った。この際、高温で焼入れ（冷却）を停止するととともに、その温度での保持処理を行った各例は、室温までは焼入れ冷却せずに、表２に示す焼入れ停止温度Ｔで焼入れ（冷却）を停止し、その温度で保持時間ｔ（単位ｈ）の温度保持処理を行った。この温度保持処理は、前記連続式の熱処理設備内の各焼入れ停止温度に保持された保持炉内で行った。また、この実際の板（コイル）の温度保持時間（実測保持時間）ｔは、前記焼入れ停止温度Ｔとの関係式で、2.3×10４×exp[-0.093×Ｔ]＜ｔ＞2.0×105×exp[-0.096×Ｔ]を満足するように決めた。この式で各焼入れ停止温度Ｔから計算される下限と上限の保持時間と、実際の板（コイル）の保持時間（実測保持時間）とを、いずれも単位ｈ（時間）にて、表２に示す。この温度保持後の冷却は、この温度保持を行った各例とも、前記焼入れ時の冷却手段を用いて１００℃／Ｓの冷却速度で強制急冷した。
【０１１４】
比較のために、前記高温での焼き入れ停止を行わず、従来のように、室温（２０℃）まで焼き入れた後に再加熱処理（焼鈍処理）を行っている比較例、言い換えると、焼入れ時の冷却停止温度が室温までと低すぎる比較例（表２の７、１４、２１）も、表２に示すように同時に試験した。
【０１１５】
これら調質処理後７日間および１００日間室温放置した後の各最終製品板から供試板 (ブランク) を切り出し、各供試板の特性を測定、評価した。また３ＤＡＰを用いた組織観察は調質処理後７日後の試料についてのみ実施した。これらの結果を表３に示す。
【０１１６】
（クラスタ）
先ず、前記供試板の板厚中央部における組織を前記３ＤＡＰ法により分析し、本発明で規定するクラスタの、平均数密度（×１０２３個／ｍ3）、円相当径の平均半径（ｎｍ）、この円相当径の半径の標準偏差を各々前記した方法で各々求めた。これらの結果を表３に示す。また、図１に、表３における発明例１、比較例４のアルミニウム合金板の、前記クラスタの円相当径の半径（横軸：クラスタ半径）と、数密度（縦軸）との関係を示す。図１において、発明例１は太い実線、比較例４は点線で各々示している。
【０１１７】
なお、表２では、前記本発明規定のクラスタ条件のうち、Ｍｇ原子かＳｉ原子かのいずれか又は両方を合計で１０個以上含みを、単に「Ｍｇ、Ｓｉ原子１０個以上」と簡略化して記載している。また、これらに含まれるＭｇ原子かＳｉ原子のいずれの原子を基準としても、その基準となる原子と隣り合う他の原子のうちのいずれかの原子との互いの距離が０．７５ｎｍ以下を、単に「距離０．７５ｎｍ以下」と簡略化して記載している。
【０１１８】
（塗装焼付硬化性）
前記調質処理後、７日間または１００日間室温放置した後の各供試板の機械的特性として、０.２％耐力（Ａｓ耐力）と全伸び（Ａｓ全伸び）を引張試験により求めた。また、これらの各供試板を各々共通して、７日間の室温時効および１００日間の室温時効させた後に、１７０℃×２０分の人工時効硬化処理した後（ＢＨ後）の、供試板の０.２％耐力（ＢＨ後耐力）を引張試験により求めた。そして、これら０.２％耐力同士の差（耐力の増加量）から各供試板のＢＨ性を評価した。
【０１１９】
前記引張試験は、前記各供試板から、各々ＪＩＳＺ２２０１の５号試験片（２５ｍｍ×５０mmＧＬ×板厚）を採取し、室温にて引張り試験を行った。このときの試験片の引張り方向を圧延方向の直角方向とした。引張り速度は、０．２％耐力までは５ｍｍ／分、耐力以降は２０ｍｍ／分とした。機械的特性測定のＮ数は５とし、各々平均値で算出した。なお、前記ＢＨ後の耐力測定用の試験片には、この試験片に、板のプレス成形を模擬した２％の予歪をこの引張試験機により与えた後に、前記ＢＨ処理を行った。
【０１２０】
（ヘム加工性）
ヘム加工性は、前記調質処理後７日間または１００日間室温放置後の各供試板についてのみ行った。試験は、３０ｍｍ幅の短冊状試験片を用い、ダウンフランジによる内曲げＲ１．０ｍｍの９０°曲げ加工後、１．０ｍｍ厚のインナを挟み、折り曲げ部を更に内側に、順に約１３０度に折り曲げるプリヘム加工、１８０度折り曲げて端部をインナに密着させるフラットヘム加工を行った。
【０１２１】
このフラットヘムの曲げ部（縁曲部）の、肌荒れ、微小な割れ、大きな割れの発生などの表面状態を目視観察し、以下の基準にて目視評価した。
０；割れ、肌荒れ無し、１；軽度の肌荒れ、２；深い肌荒れ、３；微小表面割れ、４；線状に連続した表面割れ、５；破断
【０１２２】
表１の合金番号０〜１２（但し、表１の合金番号４、５は欠番）、  表２の番号０、１、８、１５、２２〜３０（但し、表２、３の番号２２、２３は欠番）に各々示す通り、各発明例は、本発明成分組成範囲内で、かつ好ましい条件範囲で製造、調質処理を行なっている。このため、これら各発明例は、表２に示す通り、本発明で規定するクラスタ条件を満たしている。この結果、各発明例は、前記調質処理後の長期の室温時効後であって、かつ低温短時間での塗装焼付け硬化であっても、ＢＨ性に優れている。また、前記調質処理後の長期の室温時効後であっても、ヘム加工性に優れている。すなわち、本発明例によれば、１００日間の長期間室温時効した後、１７０℃×２０分の車体塗装焼付け処理された場合であっても、耐力差が９０ＭＰａ以上のより高いＢＨ性や成形性（曲げ加工性）が発揮できるＡｌ―Ｓｉ―Ｍｇ系アルミニウム合金板を提供できることが分かる。
【０１２３】
表２の比較例２、９、１６は、表１の発明合金例１、２、３を用いている。しかし、これら各比較例は、表２に示す通り、溶体化処理の冷却速度が好ましい条件を外れて小さすぎる。その結果、本発明で規定するクラスタの平均半径標準偏差が外れ、同じ合金組成である発明例１に比して、室温経時が大きく、特に１００日間室温保持後の加工性またはＢＨ性が劣っている。
【０１２４】
表２の比較例３〜６、１０〜１３、１７〜２０は、表１の発明合金例１を用いている。しかし、これら各比較例は、表２に示す通り、前記焼入れ停止後の温度保持処理条件が好ましい範囲を外れている。その結果、本発明で規定するクラスタ条件が外れ、同じ合金組成である発明例１に比して、特に１００日間室温保持後の加工性またはＢＨ性が劣っている。
【０１２５】
表２の比較例７、１４、２１は、表１の発明合金例１、２、３を用いている。しかし、これら各比較例は、表２に示す通り、好ましい温度で焼き入れ停止を行っておらず、例えば特許文献４のように、室温（２０℃）まで焼き入れた後に再加熱して焼鈍する再加熱処理を行っている。その結果、本発明で規定するクラスタの平均半径標準偏差が外れ、同じ合金組成である発明例１に比して、室温経時が大きく、特に１００日間室温保持後の加工性またはＢＨ性が劣っている。
【０１２６】
また、表２の比較例３１〜３８は、前記焼入れ停止後の温度保持処理条件を含めて好ましい範囲で製造しているものの、表１の合金番号１３〜２０を用いており、必須元素のＭｇあるいはＳｉの含有量が各々本発明範囲を外れているか、あるいは不純物元素量が多すぎる。このため、これら比較例３１〜３８は、表３に示す通り、各発明例に比して、ＢＨ性やヘム加工性が劣っている。
【０１２７】
比較例３１は表1の合金１３であり、Ｓｉが少なすぎる。
比較例３２は表1の合金１４であり、Ｓｉが多すぎる。
比較例３３は表1の合金１５であり、Ｆｅが多すぎる。
比較例３４は表1の合金１６であり、Ｍｎが多すぎる。
比較例３５は表1の合金１７であり、ＣｒおよびＴｉが多すぎる。
比較例３６は表1の合金１８であり、Ｃｕが多すぎる。
比較例３７は表1の合金１９であり、Ｚｎが多すぎる。
比較例３８は表1の合金２０であり、ＺｒおよびＶが多すぎる。
【０１２８】
前記発明例１の前記クラスタの円相当径の半径の平均標準偏差は、表３の通り規定範囲内の０.２９であり、前記比較例４の前記平均標準偏差は、表３の通り上限規定を超える０.５８である。この比較例４は、前記図１に点線で示す通り、円相当径の平均半径が１.２ｎｍ以上、１.５ｎｍ以下の数（数密度）が、前記発明例１よりも多く、縦軸のピークが高い。しかし、前記図１に実線で示す発明例１に比して、前記クラスタの大きさの分布状態が、特にクラスタ半径が大きな領域（図１の右側）に広がっており、発明例１の平均標準偏差よりも大きく、上限規定を超えている。この結果からも、長期室温時効後のＢＨ性を向上させるためには、前記規定クラスタの円相当径の平均半径が規定を満たすだけでなく、その平均標準偏差を０．３５ｎｍ以下に小さくする必要があることが分かる。
【０１２９】
したがって、以上の実施例の結果から、長期室温時効後のＢＨ性向上に対して、前記本発明で規定するクラスタの各条件を全て満たす必要性があることが裏付けられる。また、このようなクラスタ条件やＢＨ性などを得るための、本発明における成分組成の各要件あるいは好ましい製造条件の臨界的な意義乃至効果も裏付けられる。
【０１３０】
【表１】
0005820315.tif 000006
【０１３１】
【表２】
0005820315.tif 000007
【０１３２】
【表３】
0005820315.tif 000008
【産業上の利用可能性】
【０１３３】
本発明によれば、長期室温時効後の低温短時間条件でのＢＨ性や、長期室温時効後の成形性をも兼備する６０００系アルミニウム合金板を提供できる。この結果、自動車、船舶あるいは車両などの輸送機、家電製品、建築、構造物の部材や部品用として、また、特に、自動車などの輸送機の部材に６０００系アルミニウム合金板の適用を拡大できる。
【図１】
0005820315.tif 000009